(57)【特許請求の範囲】
【請求項１】
カラーのディジタルイメージを収集する方法であって、
少なくとも、輝度に対応するスペクトル領域を感知する第１の種類の素子と、主に赤の光を感知する第２の種類の素子と、主に緑の光を感知する第３の種類の素子と、主に青の光を感知する第４の種類の素子と、を備え、前記４つの種類の素子が繰返しパターンで現れる、光感知素子のアレイを有するイメージ感知ディバイスを提供するステップと、
粗にサンプリングされたディジタルイメージを発生するように前記イメージ感知ディバイスを利用するステップと、
前記カラーのディジタルイメージであって、前記アレイの各ピクセル位置について、赤、緑、及び青のピクセル値を有するディジタルイメージ、を発生するために、前記粗にサンプリングされたディジタルイメージの中で損失した色のピクセル値を補間するステップであって、前記各ピクセル位置について、当該ピクセル位置及び当該ピクセル位置に隣接するピクセル位置に含まれる輝度のピクセル値が切り取られていない場合は、当該輝度のピクセル値を用いる第１補間手法により補間を行い、当該ピクセル位置及び当該ピクセル位置に隣接するピクセル位置に含まれる輝度のピクセル値が切り取られている場合は、当該切り取られている輝度のピクセル値を用いない第２補間手法により補間を行う、ステップと、
を備え、
前記補間するステップの前記第１補間手法による補間において、
前記各ピクセル位置について、輝度及び各色に対する第１の補間されたピクセル値を計算するステップであって、輝度又は１つの色に関して当該ピクセル位置に最も近く隣接する２つのピクセル位置のピクセル値の平均を計算することで第１の値を求め、他の１つの色又は輝度のピクセルに関してラプラシアンのピクセル値を計算することで第２の値を求め、前記第１の値と前記第２の値とを加算することで前記第１の補間されたピクセル値を計算するステップと、
前記第１の補間されたピクセル値のうち、赤、青、及び緑のピクセル値を用いて求められる緑−マゼンタのカラー差のピクセル値と、前記第１の補間されたピクセル値のうち、赤及び青のピクセル値を用いて求められる輝度のカラー差のピクセル値と、の２つのカラー差のピクセル値を前記各ピクセル位置について計算するステップと、
前記２つのカラー差のピクセル値及び前記輝度のピクセル値を用いて、赤、青、及び緑の各色に対する最終的な補間されたピクセル値を計算するステップと、
が行われ、
前記補間するステップの前記第２補間手法による補間において、
前記輝度のピクセル値が切り取られているピクセル位置についての、赤、青、及び緑の各色に対する最終的な補間されたピクセル値は、当該ピクセル位置に隣接するピクセル位置に含まれる赤、青、及び緑のピクセル値を各色について平均する最短隣接補間方法を用いて計算される、
ことを特徴とする方法。
【発明の詳細な説明】
【０００１】
【発明の属する技術分野】
本発明は、一般に、イメージ収集の分野に関し、より具体的には、異なるカラーの種類の受光体を有するイメージ感知ディバイスに関する。
【０００２】
【従来の技術】
電子イメージ感知ディバイスは、光に対して異なるカラー応答をする受光体の配列を有する写真イメージを粗（sparely）にサンプリングする技術を採用してきた。本願で使用する粗にサンプリングするという用語は、全てのカラーがイメージ感知ディバイス内の全ての受光体で感知されないという事実（サンプリングをまばらに行う、または、サンプリング密度が低い）のことを指す。１９７５年にBayerは、１９７６年７月２０日に発行された米国特許第３，９７１，０６５号の中で、カラーフィルタのアレイの形状の受光体の粗にサンプリングされたイメージ感知ディバイスを開示した。Bayerによって開示されたイメージ感知ディバイスは、受光体の長方形のアレイの中で構成された。ここで輝度感知受光体は、受光体の全ての行の一つおきの受光体が、受光体の隣接する行内の１つのピクセルにより千鳥状にされた輝度感知受光体のパターンをしていた。このため、輝度感知受光体は、チェッカーボードのパターンを形成した。Bayerのイメージ感知ディバイスの他の受光体は、２種類のクロミナンス（chrominance）又はカラー感知受光体を使用した。第１の種類のクロミナンス受光体は奇数行の受光体の中で使用され、第２の種類のクロミナンス受光体は偶数行の受光体の中で使用された。
【０００３】
【発明が解決しようとする課題】
Bayerは、米国特許第３，９７１，０６５号の中で、粗にサンプリングされたイメージ感知ディバイスの別の構成を開示した。この構成は、時間が経過するにつれてより有用であることが証明された。この別の構成では、緑感知用受光体が使用されて輝度信号を感知し、赤及び青感知用受光体が、図２（ａ）に示すように、２つのクロミナンス形の受光体用に使用される。Bayerの別の構成の利点は、３種類の光学素子の間の光学応答がほぼ等しくされたセンサである、すなわち、３種類の受光体は白色光に露光されると、同じ入射光のレベルで飽和する。両方のBayerの構成の欠点は、過度露光状態が生じると明らかになる。緑感知用受光体がイメージの輝度信号により近い関係があるので、多くの現実の対象物は赤又は青のイメージ内容よりもイメージ内容がより緑になる。その結果、所定の光景が過度に露光される場合、緑感知用受光体は一般に赤又は青感知用受光体よりも早く飽和する（最大の可能な信号強度に達する）。飽和した受光体に対応するピクセル値は結果として切り取られ（最大のピクセル値に達し）、結果として空間的な細部の損失が生じる。図２（ｂ）は、飽和した緑の受光体の位置でＸを用いてBayerのパターンを示す。これらの飽和した緑の受光体のイメージの細部は不明瞭である。これらの受光体では、空間的な細部の損失があるだけでなく、緑のカラー情報の損失も発生する。
【０００４】
Yamagamiらに１９９４年６月２１日に発行された米国特許第５，３２３，２３３号は、Bayerのパターンの変形例として、異なる構成を有する受光体のイメージ感知ディバイス用カラーフィルタのアレイを開示している。輝度光に応答するＹのラベル付き受光体及び赤、緑、および青の光にそれぞれ応答するＲ，Ｇ及びＢのラベル付き受光体を有する、Yamagamiの受光体のパターンが図３（ａ）に示されている。このYamagamiのパターンは、５０％の輝度用受光体、２５％の緑用受光体、１２．５％の赤用受光体、及び１２．５％の青用受光体を含んでいる。Ｘで示した飽和した輝度の受光体を有する、過度に露光された状態についてのYamagamiのパターンは、図３（ｂ）に示されている。赤、緑、および青の受光体は、まだ変調信号を発生することができる。しかしながら、過度に露光された状態では、Yamagamiのパターンは、５０％のアレイが輝度応答用の受光体であるという事実から、空間分解能の損失を被る。
【０００５】
このため、粗にサンプリングする技術を採用するイメージ感知ディバイス用の、改良されたパターンの受光体に対する要求がある。
【０００６】
【課題を解決するための手段】
本発明に基づいて、光感知素子のアレイを有するイメージ感知ディバイスを提供することによって、この要求は満足される。このイメージ感知ディバイスは、輝度に対応するスペクトル領域を感知する第１の種類の素子、主に赤の光を感知する第２の種類の素子、主に緑の光を感知する第３の種類の素子、主に青の光を感知する第４の種類の素子を備えて、これらの４つの種類の素子が繰返しパターンで現れる。好ましい実施形態では、繰返しのパターンで現れるイメージ感知ディバイスの４つの種類の素子は、アレイの少なくとも主要な部分上に、全ての４種類の素子が一つおきの素子位置に、光感知素子のアレイの２つの直交する方向の両方に沿って現れるように構成することができる。
【０００７】
この構成により、イメージ感知ディバイスが、過度に露光された状態に対して空間的細部の損失を最小にすることである。
【０００８】
【発明の実施の形態】
電荷結合素子（ＣＣＤ）及びＣＭＯＳイメージセンサなどのイメージ感知ディバイスは、ディジタルカメラ、スキャナ、及びビデオカメラのような製品の中に一般に使用される。多くのイメージ感知ディバイスはカラーフィルタのアレイ（color filter array（ＣＦＡ））を採用して、種々の光感知素子すなわち受光体の光に対するカラー応答を修正している。このため、感知されたイメージ内の受光体の幾何学的な位置については、光又はカラーに対する１つの特性応答のみがサンプリングされる。故に、カラーフィルタのアレイを使用するイメージ感知ディバイスは、粗にサンプリングされたイメージ感知ディバイスと呼ばれる。ディジタルのピクセル値（ピクセル）は、受光体によって作られた電子信号から電子的なアナログ−ディジタル変換回路を用いて導き出される。光に対して主に赤のカラー応答をする種類の受光体が作る信号から算出されたピクセルを、赤ピクセルと名付ける。同様に、緑及び青のピクセルは、それぞれ緑及び青の光に主に応答する種類の対応する受光体を有している。輝度用ピクセルは、赤、緑、および青（白色）の光に応答する種類の対応する受光体を有する。
【０００９】
本発明は、図１に示すような、光感知素子のカラーフィルタのアレイＣＦＡのパターンを採用する。Ｌでラベルされた受光体の位置は白色光を感知して、輝度ピクセルのデータを発生する。同様に、Ｒ，Ｇ及びＢでラベルされた受光体の位置は、主に赤、緑、および青の光を感知し、それに応じて赤、緑、および青のピクセルのデータを発生する。それぞれの４種類の受光体は、アレイの少なくとも主な部分上に、全ての４種類の素子が光感知素子のアレイの２つの直交する方向の両方に沿って一つおきの素子の位置に現れるように、一つおきの受光体の行の一つおきの受光体の長方形のパターンの中に配列される。各種類の受光体は等しい頻度で示されている、すなわち、各種類の受光体は受光体全体の２５％を構成することに注意されたい。
【００１０】
本発明の重要な態様は、過度露光の状態に対して明白である。イメージ感知ディバイスが極めて多くの光を受ける場合、輝度用受光体は飽和する、すなわち、輝度用受光体は赤、緑、および青の受光体より早く最大信号状態に達する。過度露光の状態が発生すると、対応する輝度ピクセル値は切り取られる、すなわち、それらの値は可能な最大の数値を取る。一般的に感知されたイメージでは、いくつかの輝度用受光体は飽和し、一方より少ない光を受ける他の受光体は飽和しない。このため、飽和状態が部分的に生じる。図４は、輝度用受光体を過度露光により飽和状態にした、イメージ感知ディバイスの部分的な領域の受光体のＣＦＡパターンを示している。過度露光にされた受光体は、Ｘでラベル付けされている。赤、緑、および青の受光体は、過度露光により飽和されていないため、まだ信号変化を記録することができることに注意されたい。これにより、本発明は受光体の２５％のみが輝度用受光体であるという事実によって、過度露光の状態に対して空間的な細部の損失を最小にする。
【００１１】
電子センサを採用しているイメージングディバイスは周知であるため、本願の説明は特に、本発明による装置の一部を形成する又はそれとより直接的に協同する素子に向けられる。本願で具体的に表示又は説明されない素子は、当業者に周知の素子である。本願で使用されるイメージという用語は、二次元アレイのピクセル値であることに注意されたい。イメージは、別のイメージの二次元の部分集合（サブセット）とすることもできる。本発明は、ディジタルカメラの中で全体的又は部分的に実行することができる。
【００１２】
本発明の重要な素子は、図５の機能ブロック図として示されている。対象物又は光景からの光はレンズ２に入射し、電荷結合素子（ＣＣＤ）のようなイメージ感知ディバイス１０上に写真イメージを形成する。ＣＭＯＳディバイスなどの他のディバイスをイメージ感知ディバイス１０として使用することができることに、注意されたい。レンズ２とイメージ感知ディバイス１０との間に配置された光学的なローパスフィルタ６は、エイリアシング（aliasing）の発生を押さえるために、イメージ形成された光にわずかなブラーリング（blurring）を実行する。Ａ／Ｄ変換器１４は、イメージ感知ディバイス１０からイメージ形成された光に相当する電圧信号を受け取り、この電圧信号に相当するイメージ信号を発生する。Ａ／Ｄ変換器１４の出力は、粗にサンプリングされたディジタルイメージ２０１である。サンプリング密度が低いディジタルイメージは、複数の種類の受光体を備えた単一のイメージセンサを有するイメージ感知ディバイスを用いて収集されたディジタルイメージとして定義される。ＣＦＡ補間回路２６は、粗にサンプリングされたディジタルイメージ２０１をＡ／Ｄ変換器１４から受け取り、カラーフィルタのアレイＣＦＡの補間フィルタを粗にサンプリングされたディジタルイメージ２０１に加えることによって、補間されたカラーのディジタルイメージ２０２を発生する。ＣＦＡ補間回路２６は、対応するカラーがイメージ感知ディバイス１０によって感知されたピクセル位置に対して、カラーのピクセル値を発生する。例えば、ＣＦＡ補間回路２６は、緑の受光体に対応するピクセル位置に対して赤のピクセル値を発生する。このため、補間されたカラーのディジタルイメージ２０２は、全てのピクセル位置に対して赤、緑、および青のピクセル値を定義している。
【００１３】
図５に示したＡ／Ｄ変換器１４は、イメージ感知ディバイス１０が発生した電圧信号をイメージ信号に、すなわち、イメージ感知ディバイス１０の受光体が発生した電圧信号に相当するディジタルのピクセル値の流れに変換する。より具体的に言うと、Ａ／Ｄ変換器１４は、イメージ感知ディバイス１０からの、入射光の輝度に関してほぼ線形な電圧信号を離散的なディジタルのイメージ信号に、例えば、線形のコード化された値が０から１０２３にわたる１０ビット信号に変換する。Ａ／Ｄ変換器１４は、線形コード値のドメインイメージ信号を、この技術分野では一般に実行される８ビットの対数信号のような、非線形コード値のドメインイメージ信号に変換するプロセスを実行することもできる。
【００１４】
一般に、ＣＦＡ補間回路２６は、対応する受光体のピクセル値と関連する周りの受光体のピクセル値とを考慮することによって動作する。各種の周知のＣＦＡ補間フィルタを使用することができるが、本発明は１９９７年７月２９日に発行された米国特許第５，６５２，６２１号の中でAdamsらにより開示されたＣＦＡ補間フィルタの修正版を使用する。ＣＦＡ補間回路２６は、粗にサンプリングされたディジタルイメージ２０１から３段階の手順で補間されたカラーのディジタルイメージ２０２を発生する。第１の補間ステップでは、全ての４種類のピクセルについて第１の補間されたピクセル値を発生する。カラーのディジタルイメージをこれらの第１の補間されたピクセル値から直接構築することができるが、本発明は第１の補間されたピクセル値を第２の補間ステップの中で使用して、カラー差のピクセル値を生成する。第３の補間ステップでは、カラー差のピクセル値及び第１の補間された輝度のピクセル値を使用して、第２の又は最終的な補間ピクセル値を改良された結果に対して生成する。
【００１５】
第１の補間ステップでは、第１の補間ピクセル値又は損失カラーピクセル値、すなわち、対応する光のカラーを感知する受光体によって直接的に発生されないカラーのピクセル値は、隣接するピクセル値を考慮することによって生成される。この補間ステップは、各ピクセル位置において各損失ピクセル値に対して実行される。このため、第１の補間された赤Ｒ’、緑Ｇ’及び青Ｂ’のピクセル値が、輝度用受光体に相当するピクセル位置で生成される。同様に、第１の補間された輝度Ｌ’、緑Ｇ’及び青Ｂ’のピクセル値が、赤の受光体に相当するピクセル位置で生成される。第１の補間された輝度Ｌ’、赤Ｒ’及び青Ｂ’のピクセル値が、緑の受光体に相当するピクセル位置で生成される。第１の補間された輝度Ｌ’、赤Ｒ’及び緑Ｇ’のピクセル値が、青の受光体に相当するピクセル位置で生成される。
【００１６】
図６は、輝度用受光体に相当するピクセル位置で赤Ｒ’、緑Ｇ’及び青Ｂ’のピクセルについて第１の補間ピクセル値を生成するピクセルのパターンを示す。Ｌ13のピクセル位置に相当する第１の補間された赤のピクセル値Ｒ’13は、２つの項の中で計算される。第１の項は、２つの最も近い隣接した赤のピクセル値Ｒ12及びＲ14の平均である。第２の項は、２つの最も近い隣接する輝度のピクセル値Ｌ11及びＬ15の平均をライン上この場合横方向のライン上にある中心輝度のピクセル値Ｌ13から、最短の隣接する赤のピクセルとして減算することによって与えられるラプラシアンのピクセル値である。ピクセル位置Ｌ13に相当する第１の補間された青のピクセル値Ｂ’13は、中心の輝度ピクセルＬ13について縦方向にサンプリングされた輝度及び青のピクセル値を用いて、同様の方法で計算される。
【００１７】
緑の受光体は、輝度用受光体に対して横方向及び縦方向のいずれのライン上にも入っていない。しかしながら、緑の受光体は、輝度用受光体の２つの対角方向に加わっている。ピクセルの対角のセットの１つは、２つの対角方向に沿った勾配の大きさに基づいて、第１の補間された緑のピクセル値を計算するために使用される。具体的には、図６に示すように、ピクセルＧ7とＧ19との間の差の絶対値（勾配ピクセル値）が、ピクセルＧ9とＧ17との間の差の絶対値（勾配ピクセル値）と比較される。ピクセルＧ7及びＧ19から形成された勾配ピクセル値の大きさがピクセルＧ9及びＧ17から形成された勾配ピクセル値の大きさよりも小さい場合は、ピクセルＬ1，Ｌ13，Ｌ25，Ｇ7及びＧ19を使用して、ピクセル位置Ｌ13に相当する緑の第１の補間されたピクセル値Ｇ13を計算する。そうでない場合は、ピクセルＬ5，Ｌ13，Ｌ21，Ｇ9及びＧ17を使用して、ピクセル位置Ｌ13に相当する第１の補間された緑のピクセル値Ｇ’13を計算する。式（１）は、それぞれピクセル位置Ｌ13に相当する第１の補間された赤、緑、および青のピクセル値Ｒ’13，Ｇ’13及びＢ’13の数式を記述している。
【００１８】
【数１】
0004351825.tif 000002
【００１９】
図７は、ピクセル位置Ｒ13に相当する第１の補間された輝度Ｌ’13，緑Ｇ’13及び青Ｂ’13のピクセル値を補間するために使用されるピクセルのパターンを示している。この場合、赤及び緑のピクセルは縦方向に沿って並び、一方赤及び輝度のピクセルは横方向に沿って並んでいる。青及び赤のピクセルは、２つの対角方向に並んでいる。式（２）は、それぞれピクセル位置Ｒ13に相当する第１の補間された輝度、緑、および青のピクセル値Ｌ’13，Ｇ’13及びＢ’13の数式を記述している。
【００２０】
【数２】
0004351825.tif 000003
【００２１】
図８は、ピクセル位置Ｂ13に相当する第１の補間された輝度Ｌ’13，緑Ｇ’13及び赤Ｒ’13のピクセル値を補間するために使用されるピクセルのパターンを示している。この場合、輝度及び青のピクセルは縦方向に沿って並び、一方緑及び青のピクセルは横方向に沿って並んでいる。青及び赤のピクセルは、２つの対角方向に並んでいる。式（３）は、それぞれピクセル位置Ｂ13に相当する第１の補間された赤、緑、および輝度のピクセル値Ｒ’13，Ｇ’13及びＬ’13の数式を記述している。
【００２２】
【数３】
0004351825.tif 000004
【００２３】
図９は、ピクセル位置Ｇ13に相当する第１の補間された輝度Ｌ’13，赤Ｒ’13及び青Ｂ’13のピクセル値を補間するために使用されるピクセルのパターンを示している。この場合、赤及び緑のピクセルは縦方向に沿って並び、一方緑及び青のピクセルは横方向に沿って並んでいる。緑及び輝度のピクセルは、２つの対角方向に並んでいる。式（４）は、それぞれピクセル位置Ｇ13に相当する第１の補間された赤、青、および輝度のピクセル値Ｒ’13，Ｂ’13及びＬ’13の数式を記述している。
【００２４】
【数４】
0004351825.tif 000005
【００２５】
第２の補間ステップでは、２つのカラー差のピクセル値、すなわち、緑−マゼンタのピクセル値（ＧＭ’）及び輝度のピクセル値（ＩＬＬ’）が、各ピクセル位置に対して生成される。これら２つのカラー差のピクセル値を計算する数式は、式（５）で与えられる。
【００２６】
【数５】
0004351825.tif 000006
【００２７】
ここで、Ｒ’，Ｇ’及びＢ’の変数は、それぞれ輝度用受光体に相当する補間された赤、緑、および青のピクセル値を示す。赤、緑、および青の受光体の位置に対して、式（５）を使用して、ＧＭ’及びＩＬＬ’を計算するが、可能であれば、第１の補間されたピクセル値ではなく本来のピクセル値が使用される。例えば、赤の受光体において、本来の赤のピクセル値Ｒ及び補間された緑Ｇ’及び青Ｂ’のピクセル値が式（５）の中で使用される。
【００２８】
第２のステップの後、Ｌ’，ＧＭ’及びＩＬＬ’のピクセルが全てのピクセル位置に対して定義される。第３の補間ステップでは、Ｌ’，ＧＭ’及びＩＬＬ’のピクセル値を使用して、それぞれ第２の補間された赤、緑、および青のピクセル値Ｒ”，Ｇ”及びＢ”のセットが生成される。式（５）の逆変換を使用して、式（６）によって与えられるＲ”，Ｇ””及びＢ””のピクセル値を生成する。
【００２９】
【数６】
0004351825.tif 000007
【００３０】
輝度用受光体において、本来のＬのピクセル値が、Ｌ’変数に代えて式（６）の中で使用される。本来のピクセル値Ｒ，Ｇ及びＢは、それぞれ赤、緑、および青の受光体の位置で最終的な補間されたピクセル値として使用される。例えば、第２の補間された赤のピクセル値Ｒ”は、輝度、緑及び青の受光体のピクセル位置に対して補間されたカラーのディジタルイメージ２０２の赤のピクセル値を形成する。
【００３１】
図４に示すように、イメージ感知ディバイス１０が極めて多くの光を受けることに起因する過度露光状態を被る場合、輝度のピクセル値はＡ／Ｄ変換器２６により生成されると最大の許容可能なピクセル値に切り取られる。本発明は、最短隣接補間方法を用いて過度露光状態を補修する。図１０でＸによって示された切り取られた輝度のピクセル位置については、第２の補間された青のピクセル値Ｂ”が、２つの隣接する縦方向の本来の青のピクセル値を平均することによって計算される。同様に、第２の補間された赤のピクセル値Ｒ”が、２つの隣接する横方向の本来の赤のピクセル値を平均することによって計算される。第２の補間された緑のピクセル値Ｇ”が、最初に対角の緑のピクセル値の２つのセット間の差の大きさを比較することによって計算される。勾配の大きさが小さいピクセル値の緑のピクセル値の２つの対角の対は平均されて、第２の補間された緑のピクセル値Ｇ”を計算する。式（７）は、図１０に示したピクセル位置Ｘ5に相当する切り取られたピクセルについての、第２の補間された赤Ｒ”、緑Ｇ”及び青Ｂ”のピクセル値の数学的計算を記述している。
【００３２】
【数７】
0004351825.tif 000008
【００３３】
切り取られた輝度ピクセルの周りのカラーのピクセル位置については、第１の補間されたピクセル値が使用される。例えば、ピクセル位置Ｇ1では、Ｒ’及びＢ’がそれぞれ最終的な補間されたピクセル値Ｒ”及びＢ”として使用される。同様に、ピクセル位置Ｒ1では、Ｇ’及びＢ’がそれぞれ第２の補間されたピクセル値Ｇ”及びＢ”として使用される。ピクセル位置Ｂ1では、Ｇ’及びＲ’がそれぞれ第２の補間されたピクセル値Ｇ”及びＲ”として使用される。
【図面の簡単な説明】
【図１】  本発明による受光体のパターンを示す図である。
【図２】  従来技術の受光体のパターン、及び過度露光の状態に対する受光体のパターンを示す図である。
【図３】  従来技術の他の受光体のパターン及び、過度露光の状態に対する受光体のパターンを示す図である。
【図４】  過度に露光された状態に対する、本発明による受光体のパターンを示す図である。
【図５】  本発明による、受光体のパターンとＣＦＡ補間回路とを有するイメージ感知ディバイスを利用するディジタルイメージングシステムのブロック図である。
【図６】  輝度用受光体に対応するピクセル値を補間するための、ＣＦＡ補間回路が使用するピクセルの図である。
【図７】  赤用受光体に対応するピクセル値を補間するための、ＣＦＡ補間回路が使用するピクセルの図である。
【図８】  青用受光体に対応するピクセル値を補間するための、ＣＦＡ補間回路が使用するピクセルの図である。
【図９】  緑用受光体に対応するピクセル値を補間するための、ＣＦＡ補間回路が使用するピクセルの図である。
【図１０】  輝度ピクセルが切り取られたとき、輝度用受光体に対応するピクセル値を補間するための、ＣＦＡ補間回路が使用するピクセルの図である。
【符号の説明】
２  レンズ、６  光学的ローパスフィルタ、１０  イメージ感知ディバイス、１４  Ａ／Ｄ変換器、２６  ＣＦＡ補間回路、２０１  サンプリング密度が低いディジタルイメージ、２０２  補間されたカラーのディジタルイメージ。
【図１】
0004351825.tif 000009
【図２】
0004351825.tif 000010
【図３】
0004351825.tif 000011
【図４】
0004351825.tif 000012
【図５】
0004351825.tif 000013
【図６】
0004351825.tif 000014
【図７】
0004351825.tif 000015
【図８】
0004351825.tif 000016
【図９】
0004351825.tif 000017
【図１０】
0004351825.tif 000018